Podtech/llm-jp-corpus-v4-ja_patent huggingface dataset:
(57)【要約】      （修正有）【課題】消費電力が小さく、発電機より大きな電力を発生することが出来ると共に、構造が簡単であり、実働コストが低廉である電力発生用動力装置を提供する。【解決手段】大径の円盤状に形成し、その外周部に慣性力付与部材２を設けると共に、中心部に回転軸３を一体に固定したフライホイール１と、前記フライホイールを回転可能な駆動機１０と、前記フライホイールの回転軸に連結されている発電機１４とをを備えてなり、フライホイールを高速回転させて蓄積された運動エネルギーを電気エネルギーに変換して発電機より出力し得るように構成してある。【選択図】図１
0003132852.tif 000002
【実用新案登録請求の範囲】
【請求項１】
大径の円盤状に形成し、その外周部に慣性力付与部材を設けると共に、中心部に回転軸を一体に固定したフライホイールと、前記フライホイールを回転可能な駆動機と、前記フライホイールの回転軸に連結されている発電機とをを備えてなり、フライホイールを高速回転させて蓄積された運動エネルギーを電気エネルギに変換して発電機より出力し得るようにしたことを特徴とする電力発生用動力装置
【考案の詳細な説明】
【技術分野】
【０００１】
本考案は、フライホイールの慣性力で回転が保たれる「はずみ車効果」を利用した電力発生用動力装置に関する。
【背景技術】
【０００２】
従来、この種装置としては、例えば、特開平６−７８４９７号公報所載のもがある。かかる公報所載の装置は、回転自在に軸支されているな回転軸に固定された大径ピッチ円の歯車と、該歯車に噛合するように駆動源としての電動機に設けられた小径ピッチ円の歯車と、前記回転軸に連結された発電機（同期）とからなるものである。
【０００３】
上記構成からなる発電装置によれば、発電機に連結された回転軸を大きなトルクで回転駆動させることができるだけでなく、インバータ等の複雑な構成を有することなく希望する周波数を簡単に得ることが出来るという利点を奏する。
【特許文献１】特開平６−０７８４９７号公報
【考案の開示】
【考案が解決しようとする課題】
【０００４】
しかし、上記発電装置は、その構成からして、発電機から出力を得る際には、常に電動機を駆動させておかなければならず、その間の電力消費が駆動時間に比例して増加することになり、そのための電力が常に必要となるという難点があった。
【０００５】
また、電動機の消費電力以上の電力を発電機から効率よく得る必要性から大出力の発電機を用いうるのが好ましいが、大出力の発電機を駆動させるためには大きなトルクを得る必要がある。
かかる目的のために、電動機を複数台併設してあるが、駆動時における各電動機の同期を取ることが非常に難しく、同期を取るための設備費等が必要となり、装置のランニングコストが嵩む等の難点があった。
【０００６】
そこで、本考案は、上記難点に鑑み、消費電力が小さく、発電機より大きな電力を発生することが出来ると共に、構造が簡単であり、実働コストが低廉である電力発生用動力装置を提供しようとするものである。
【課題を解決するための手段】
【０００７】
上記目的を達成するために、本考案の電力発生用動力装置は、大径の円盤状に形成し、その外周部に慣性力付与部を設けると共に、中心部に回転軸を一体に固定したフライホイールと、前記フライホイールを回転可能な駆動機と、前記フライホイールの回転軸に連結されている発電機とをを備えてなり、フライホイールを高速回転させて蓄積された運動エネルギーを電気エネルギに変換して発電機より出力し得るように構成してある。
【考案の効果】
【０００８】
本発明の電力発生用動力装置によれば、フライホイールを高速回転させるための消費電力が小さく、フライホイールに大きなトルクを与えることが出来るので、発電機に大きな電力を発生させることが出来る。
【０００９】
また、構造が簡単であって製作が容易であると共に、ランニングコスト等の諸コストを低く抑えることが出来る利点がある。
【実施例１】
【００１０】
次に添付図面に従って、本考案の実施例を説明する。
図１において、１は大径の円盤状に形成したフライホイールであって、その外周部には円筒状の慣性力付与部材２を一体に設けてあり、中心部には左右方向に延成した回転軸３の中央部を固着してある。４、４は基台５上に所定間隔を置いて立設した支持体であって、前記回転軸３の左右両側部を回転可能に支持させてある。また、前記回転軸３の両側端部には、略同径のプーリー６、７を夫々装着してある。
１０は駆動機であって、その駆動軸１１には、上記プーリー６，７より小径のプーリー１２を装着してあり、該プーリー１２とフライホイール１の一方のプーリー６との間にはＶべルト１３を掛け渡してある。上記駆動機１０としては、電動モーター、又はガソリンエンジン、ディーゼルエンジンの内燃機関等を用いることが出来る。
また、１４は発電機であって、その回転軸１５には、上記プーリー６，７より小径のプーリー１６を装着してあり、該プーリー１６とフライホイール１の一方のプーリー７との間にはＶべルト１７を掛け渡してある。上記発電機１４としては、同期発電機、誘導発電機などの交流発電機、又は直流発電機を使用することが出来る。
【００１１】
上記実施例では、駆動機１０の駆動軸１１とフライホイール１の回転軸３とをＶベルト１４で連結し、またフライホイール１の回転軸３と発電機１４の回転軸１５とをＶベルト１７で夫々連結したが、各連結手段としては、ギア機構、スプロケットホイール、又は他の連結ベルト等を用いることも出来るし、駆動機と発電機を夫々フライホイールの回転軸と同軸に連結することも出来る。
また、フライホイール１の回転軸３を水平状態に保持するようにしたが、垂直に保持させる場合もある。
【００１２】
次に作用につき説明すると、駆動機１０の駆動軸１１とフライホイール１の回転軸３を連結してあるので、駆動力の小さい駆動機でも、大重量のフライホイールに大きなトルクを与えることが出来る。
而して、フライホイールは、その慣性力により、高速回転の状態を所定時間維持し、運動エネルギーを蓄積する。
而して、蓄積された運動エネルギーは、フライホイールの回転軸に連結した発電機１４により大きな電気エネルギーとして出力される。
【図面の簡単な説明】
【００１３】
【図１】本考案における電力蓄積装置の一実施形態を示す全体構成説明図である。
【符号の説明】
【００１４】
１      フライホイール
２      慣性力付与部材
３      回転軸
４      支持体
５      基台
６      プーリー
７      プーリー
１０    駆動機
１１    駆動軸
１２    プーリー
１３    Ｖベルト
１４    発電機
１５    回転軸
１６    プーリー
１７    Ｖベルト
【図１】
0003132852.tif 000003
(57)【要約】【課題】本考案は、釣り具の餌を任意の箇所で安易にちぎるようにしたものである。【解決手段】本考案は、煮た管状の麺２の管に練り餌３を充填し、外部にＶ型の凹み１を押し付けて施し、凹み１でちぎる釣り用の餌である。【選択図】図１
0003132854.tif 000002
【実用新案登録請求の範囲】
【請求項１】
煮た管状の麺の管の中に練り餌を充填し、外部にちぎり用の凹みを設ける釣り用のちぎり餌。
【請求項２】
外部にエビ型のちぎり用の凹みを設ける請求項１記載の釣り用のちぎり餌。
【考案の詳細な説明】
【技術分野】
【０００１】
本考案は、煮た管状の餌を適当な長さに凹みを施し、安易にちぎることを可能にしたものである。
【背景技術】
【０００２】
釣りの餌は一般にオキアミをハリに刺して使用する場合が多い。が、餌取り（小さな魚）が群れて餌をつついて取る。餌取から守るための防御手段として煮た小麦粉の団子を指先で伸ばしオキアミを包んで餌にする。しかし、いちいち面倒であって、磯釣りなどは主に冬場であり、指先が寒さでかじかんで作業が思うようにはかどらない。
【考案の開示】
【考案が解決しようとする課題】
【０００３】
オキアミを完全に包みこんでしまうと、臭いが発散せず釣れが悪くなる。餌の臭いが水中に流れ出ることが望ましい。
【課題を解決するための手段】
【０００４】
管状の煮た麺類、又はマカロニの煮たものの管に練り餌を充填して、２５ミリ〜３０ミリの適宜な長さにＶ型の凹みを押して施し、この位置でちぎる。
【考案の効果】
【０００５】
管状のため小さくバラバラでないので、保管がしやすい。
【０００６】
図２で示すように押し付ける凹みで管の練り餌が幾分ふさがり、水中で練り餌が流失しにくい利点がある。
【０００７】
餌の形状も無視できない。本案のちぎり餌をエビ型にするのも一考に価する。
【考案を実施するための最良の形態】
【０００８】
煮た管状の麺の中にオキアミをはじめその他、釣りの目的の魚類の好物の餌に合わせて吟味し充填する。従って餌の種類は一律ではなく多彩となる。
【０００９】
管状の麺は幾分、硬めに煮るとハリの止まりがよく、やすやすと餌だけ魚に取られることはない。
【実施例】
【００１０】
以下、添付図面に従い実施例を説明する。煮た管状の麺２の管に練り餌３を充填し、Ｖ型の凹み１を適宜な位置に押して施す。
【００１１】
エビ型４の凹み１でちぎる。
【図面の簡単な説明】
【００１２】
【図１】釣り用ちぎり餌の側面図である。
【図２】餌をちぎった状態の斜視図である。
【図３】エビ型の釣り用ちぎり餌の平面図である。
【符号の説明】
【００１３】
１  凹み
２  煮た状態の麺
３  練り餌
４  エビ型
【図１】
0003132854.tif 000003
【図２】
0003132854.tif 000004
【図３】
0003132854.tif 000005
(57)【要約】    【課題】外出時、持ち手付き粘着ロールを持参すれば持ち手となるハンドル      が収納ケースから突出しているため、かさばり、また使用時は収納ケース      から取り出してハンドルを持って粘着ロールを使っており、使用がし難い      ことがあり、持ち手のないロール状粘着クリーナーを提供する。    【解決手段】プラスチック等適宜素材にて形成され下面開口した上カバーと      着脱自在に装着される上面開口の下カバーと、上カバーの左右内側面に      設けた巻回体を回動自在に軸支する一対の軸部とからなり、下カバーを上      カバーから離脱して巻回体の外表面を上カバーの開口部より突出させた状      態で、上カバーの掛止め部に指を挿入して上カバーを手中に収め握るよう      に上カバーを手で持って、巻回体を一対の軸部を中心に回動するようにし      たことを特徴とするロール状粘着クリーナー。    【選択図】    図１
0003132858.tif 000002
【実用新案登録請求の範囲】
【請求項１】
粘着シート基材の巻回体を備えたロール状粘着クリーナーにおいて、下面が開口した上カバーと、該上カバーの開口部に係着部材により着脱自在に装着される上面開口の下カバーと、前記上カバーの左右内側面に設け、前記巻回体を回動自在に軸支する一対の軸部からなり、前記下カバーを上カバーから離脱して前記巻回体の外表面を前記上カバーの開口部より突出させた状態で、上カバーを手で持って前記巻回体を前記一対の軸部を中心に回動するようにしたことを特徴とするロール状粘着クリーナー。
【請求項２】
前記巻回体の中空部に芯部材を装着し、該芯部材を前記軸部に軸支したことを特徴とする請求項１に記載のロール状粘着クリーナー。
【請求項３】
前記上カバーと下カバーで断面略円形状に構成し、その略中心に位置する上カバーに前記軸部を設けたことを特徴とする請求項１または２に記載のロール状粘着クリーナー。
【請求項４】
前記上カバーの上外表面には手指が挿入できる掛止め部を設けたことを特徴とする請求項１ないし３のいずれかに記載のロール状クリーナー。
【請求項５】
前記係着部材は前記上カバーと下カバーの開口端部の適所に一対の磁石または磁石と鉄片とで構成したことを特徴とする請求項１ないし４のいずれかに記載のロール状クリーナー。
【考案の詳細な説明】
【技術分野】
【０００１】
本考案は粘着シート基材の巻回体を備えたロール状粘着クリーナーに関する。
【背景技術】
【０００２】
外出時、持ち手となるハンドルつきの粘着ロールを収納ケース内に入れて持参していた。
【考案の開示】
【考案が解決しようとする課題】
【０００３】
ハンドルが収納ケースから突出しているため外出時、粘着ロールを持参すれ
ばかさばっていた。また使用時は収納ケースから取り出して、ハンドルを持
って粘着ロールを使っており使いずらかった。
【課題を解決するための手段】
【０００４】
本考案は前記記載のロール状粘着クリーナーにおいて、下面が開口した上カ
バーと、該上カバーの開口部に係着部材により着脱自在に装着される上面開
口の下カバーと、前記上カバーの左右内側面に設け上記巻回体を回動自在に
軸支する一対の軸部とからなり、前記下カバーを上カバーから離脱して上記
巻回体の外表面を前記上カバーの開口部よい突出させた状態で、上カバーを
手で持って上記巻回体を前記一対の軸部を中心に回動するようにしたことを
特徴とする。
【０００５】
また本考案は前記巻回体の中空部に芯部材を装着し該芯部材を前記軸部に軸支したことを特徴とする。
【０００６】
前記上カバーと下カバーで断面略円形状に構成し、その略中心に位置する
上カバーに前記軸部を設けたことを特徴とする。                          
【０００７】
前記上カバーの上方外面には指が挿入できる掛止め部を設けたことを特徴とする。
【０００８】
前記係着部材は、前記上カバーと下カバーの開口端部の適所に一対の磁石または磁石と鉄板とで構成したことを特徴とする。  
【考案の効果】
【０００９】
前記上カバーと下カバーで断面略円形状に構成され上カバーの上方外面には
指が挿入できる掛止め部を設けたことで持ち手をなくすることができ小型化できた。
【考案を実施するための最良の形態】
【００１０】
本考案のロール状粘着クリーナー10を図面と共に以下説明する。粘着シート基材の巻回体5を備えたロール粘着クリーナー10において、下面が開口し上カバーＡと該上カバーＡの開口部に係着部材により着脱自在に装着される上面開口の下カバーＢと、前記上カバーＡの左右内側面に設け、前記巻回体５を回動自在に軸支する一対の軸部２とから構成してある。前記上カバーＡと下カバーＢはプラスチック素材で構成されている。
【００１１】
前記巻回体５の中空部４にはプラスチック素材で作られた芯部材３が着脱自在に装着される。そして巻回体５に芯部材３を取り付けた状態で芯部材３を上カバーＡの一対の軸部２に着脱自在に枢着する。従って巻回体５は軸部２を中心に回動できるようになる。
【００１２】
前記上カバーＡの上方外面には指７が挿入できるプラスチック素材の掛止め
部１を設け、掛止め部１に指７を挿入し前記上カバーＡを手中に収め握るよ
うに使用する。
【００１３】
前記係着部材６は上カバーＡに磁石６ａ，下カバーに鉄片６ｂを取り付けて
構成してある。また鉄片６ｂの代わりに磁石でもよい。
【００１４】
前記上カバーＡに下カバーＢを取り付けた際、第４図のように断面略円形状
に構成されるので、軸部２は、その円形状の略中心に位置する上カバーＡに
設けられる。
【００１５】
ロール粘着クリーナー10のサイズは手中に収まるサイズとする。
【００１６】
次に使用状態を説明する。
下カバーＢをはずし前記巻回体５を上カバーＡより突出させた状態で、上カ
バーＡに設けてある掛止め部に指７を入れて図５のように上カバーＡを手中
に収め握るように持って前記一対の軸部２を中心に前記巻回体５を回動させ
る。
【００１７】
前記巻回体５の交換は上カバーＡの左右内側面に設けた一対の軸部２を外面
に開くように力を加え、巻回体５の中空部４にある芯部材３と共に上カバー
Ａの軸部２より取りはずし、芯部材３より使用済み巻回体５をはずし新しい
巻回体に芯部材３を挿入し上カバーＡの軸部２に取り付け交換する。
【図面の簡単な説明】
【００１８】
【図１】本考案のロール状粘着クリーナーの下カバーＢをはずした斜視図である。
【図２】本考案のロール状粘着クリーナーの分解斜視図である。
【図３】本考案のロール状粘着クリーナーの中空部に芯部材を装着した斜視図である。
【図４】本考案のロール状粘着クリーナーの不使用状態の斜視図である。
【図５】本考案のロール状粘着クリーナーの使用状態を示す図である。
【符号の説明】
【００１９】
Ａ    上カバー
Ｂ    下カバー
１    掛止め部
２    軸部
３    芯部材
４    巻回体の中空部
５    巻回体
６    係着部材(６a磁石と６ｂ磁石または鉄片)
７    指
【図１】
0003132858.tif 000003
【図２】
0003132858.tif 000004
【図３】
0003132858.tif 000005
【図４】
0003132858.tif 000006
【図５】
0003132858.tif 000007
(57)【要約】      （修正有）【課題】冷却時間を大幅に短縮するとともに、射出成型機に材料を射出する速度を加速し、放熱面を大幅に増加した金型を提供する。【解決手段】メス型１０とオス型２０とを合わせてなり、該オス型にはキャビティ２１と、該キャビティと注入口とを接続する径路２２が形成され、該径路が薄く、幅広く形成されるため、注入する材料の体積が同じ場合、冷却する時間を短縮でき、すばやく型抜きすることができる構造からなる。【選択図】図４
0003132826.tif 000002
【実用新案登録請求の範囲】
【請求項１】
メス型とオス型とを合わせてなり、
該オス型にはキャビティと、該キャビティと注入口とを接続する径路が形成され、該径路が薄く、幅広く形成されるため、注入する材料の体積が同じ場合、冷却する時間を短縮でき、すばやく型抜きすることができる構造からなることを特徴とする金型。
【考案の詳細な説明】
【技術分野】
【０００１】
この考案は、金型に関し、特に材料を成型する時間を短縮することができる金型に関する。
【背景技術】
【０００２】
従来の金型を図１に開示する。図面によれば、従来の金型は、オス、メス型１０、２０とを組み合わせてなる。射出成型の機械に合わせ、材料を金型に射出して成型する製造工程では、時間が大幅に縮小された。特に、射出成型機の機能の上昇に伴って材料を注入する速度が大幅に改善されるとともに、材料が滞留するなどの問題が改善された。
【０００３】
しかしながら、薄型或いは厚い製品の射出成型にかかわらず、材料を注入する過程において材料が注入口から金型内部への径路に残る。よって、金型を冷却すると、図２、３に開示するように桿体が形成される。
【０００４】
異なる金型２１、径路２２を具えた金型で型抜きを行うと、製品３０と該製品３０に接続する桿体２３とが形成される。
【０００５】
しかしながら、上述の金型の場合、成型した製品を冷却すると、成型する製品の冷却時間だけ冷却を行うと、径路内の材料が完全に冷却されていない。このため、製品の冷却時間よりも長い時間冷却しなければならない。よって、生産性が低く、効率が悪く、経済的でない。
【０００６】
また、径路のサイズを小さくすれば、径路の冷却時間を改善することができるが、材料を注入する時間が遅くなる、材料が詰まり易くなるなどの問題が発生する。
【考案の開示】
【考案が解決しようとする課題】
【０００７】
この考案は、冷却時間を大幅に短縮するとともに、射出成型機に材料を射出する速度を加速し、放熱面を大幅に増加した金型を提供することを課題とする。
【課題を解決するための手段】
【０００８】
そこで本発明者は、従来の技術に鑑み鋭意研究を重ねた結果、メス型とオス型とを合わせてなり、
該オス型にはキャビティと、該キャビティと注入口とを接続する径路が形成され、該径路が薄く、幅広く形成されるため、注入する材料の体積が同じ場合、冷却する時間を短縮でき、すばやく型抜きすることができる構造からなる金型の構造によって課題を解決できる点に着眼し、係る知見に基づき本発明を完成させた。
以下、この発明について具体的に説明する。
【０００９】
請求項１に記載する金型は、メス型とオス型とを合わせてなり、
該オス型にはキャビティと、該キャビティと注入口とを接続する径路が形成され、該径路が薄く、幅広く形成されるため、注入する材料の体積が同じ場合、冷却する時間を短縮でき、すばやく型抜きすることができる構造からなる。
【考案の効果】
【００１０】
この考案の金型は、キャビティとキャビティを接続する桿体の冷却時間を短縮したため、すばやく型をぬくことができ、生産速度や経済効率を上昇させるという効果を有する。
【考案を実施するための最良の形態】
【００１１】
この考案は、冷却時間を大幅に短縮するとともに、射出成型機に材料を射出する速度を加速し、放熱面を大幅に増加した金型であって、メス型とオス型とを合わせてなり、該オス型にはキャビティと、該キャビティと注入口とを接続する径路が形成され、該径路が薄く、幅広く形成されるため、注入する材料の体積が同じ場合、冷却する時間を短縮でき、すばやく型抜きすることができる構造からなる。
係る構成の金型について、その構造と特徴を詳述するために具体的な実施例を挙げ、以下に説明する。
【実施例】
【００１２】
図４は、この考案の金型の実施例を示した説明図である。図面によれば、メス型１０と、該メス型１０に合わせて使用するオス型２０とを含んでなる。該オス型には、必要に応じて形成される１以上のキャビティ２１と、該キャビティ２１と材料の注入口との間を接続する径路２２とが形成される。また、該径路２２は材料冷却すると、桿体を形成するため、できるだけ薄く幅広く形成する。
【００１３】
図５は、この考案の金型で成型した製品を型抜きした製品を示したものである。図面によれば、成型の過程において、メス型１０とオス型２０を組み合わせた後、射出成型の方法で材料を注入口から径路２２を通してキャビティ２１に拡散、充満するまで注入する。
【００１４】
キャビティ２１の内部の材料を冷却すると、薄くて幅の広い径路２２の材料はキャビティ２１内よりも早く冷却されて桿体を形成するため、材料を冷却する時間を大幅に短縮することができるため、射出成型の過程を大幅に縮小することができる。よって、生産性、経済効率を上昇することができる
【００１５】
注入口とキャビティ２１との間を接続する径路２２は、冷却する材料の体積が変わらない場合、薄く幅広くオス型２０上に形成すると、薄く幅広い径路２２のため、材料の注入する時間が縮小されるだけでなく、熱を放熱する面積も増加し、材料を冷却して桿体を形成する時間も短縮する。よって、材料の成型時間に影響を与えることがない。このため、量産に適しているだけでなく、産業の能力を上昇させるとともに、薄型の製品の生産能力が大幅に上昇され、経済効率、産業価値を上昇させる。
【００１６】
上述の構造のように、この考案は製品を成型する場合、材料を冷却して桿体が形成される時間を大幅に短縮するとともに、型抜きの時間を短縮するため、生産性、経済効率を上昇させることができるため、実用的である。
【００１７】
以上は、この考案の好ましい実施例であって、この考案の実施の範囲を限定するものではない。よって、当業者のなし得る修正、もしくは変更であって、この発明の精神の下においてなされ、この発明に対して均等の効果を有するものは、いずれもこの考案の実用新案請求の範囲に属するものとする。
【図面の簡単な説明】
【００１８】
【図１】従来の金型を示した断面図である。
【図２】従来の金型で成型した製品を上から見た状態を示した説明図である。
【図３】従来の金型で成型した他の製品を上から見た状態を示した説明図である。
【図４】この考案の金型を示した断面図である。
【図５】この考案の金型で成型した製品を上から見た状態を示した説明図である。
【符号の説明】
【００１９】
１０        メス型
２０        オス型
２１        キャビティ
２２        径路
２３        桿体
３０        製品
【図１】
0003132826.tif 000003
【図２】
0003132826.tif 000004
【図３】
0003132826.tif 000005
【図４】
0003132826.tif 000006
【図５】
0003132826.tif 000007
(57)【要約】      （修正有） 【課題】自らをも被写体に入れて撮りたい場合は、三脚をセットしてセルフタイマーで撮ったり、他人にシャッターを押してもらうことが、一般的な撮影の仕方である。しかし、三脚をセットするのは煩わしく、他人に頼むのは億劫である。そこで、手に持ったままハンドを延長することで、自らを被写体に入れて撮れることを容易にするデジタルカメラ撮影延長ハンドを提供。【解決手段】伸縮自在のアンテナ式延長ハンドの先端に雲台をセットする構造にすることで、グリップを持ったまま、ハンドを延長し、自らを被写体に入れて撮れることを容易にする。【選択図】図７
0003132808.tif 000002
【実用新案登録請求の範囲】
【請求項１】
手元から伸縮自在に伸びて撮影距離を延長できることで、自らを被写体に入れる撮影を容易にすることを特徴とするデジタルカメラ撮影延長ハンド。
【請求項２】
取り付け脚をセットすることで、三脚としても活用できることを特徴とする請求項１のデジタルカメラ撮影延長ハンド。
【考案の詳細な説明】
【技術分野】
【０００１】
本考案は、手元から伸縮自在に伸びるハンドを使って、撮影距離を延長させることで、自らおも被写体に入れることができることを特徴とするデジタルカメラ撮影延長ハンドに関するものである。
【背景技術】
【０００２】
従来、自らをも被写体に入れて撮りたい場合は、三脚をセットしてセルフタイマーで撮ったり、他人にシャッターを押してもらうことが、一般的な撮影の仕方である。しかし、三脚をセットするのは煩わしく、他人に頼むのは億劫である。
【０００３】
ちなみに、現在、流通している三脚（非特許文献１）には、デジタルカメラ用に軽量化されているものもあるが、被写体から離れてセットする従来の方式であり、撮影者からハンドが伸び、自らも被写体に入れる方式のものはない。
【非特許文献１】インターネット「デジタルカメラ用三脚：ヨドバシ・ドット・コム」       http:www.yodobashi.com/enjoy/more/productslist/13513421.html
【考案の開示】
【考案が解決しようとする課題】
【０００４】
上述の如く、自らを被写体に入れたい場合、従来の撮影の方法では、次のような不便な点がある。
（イ）三脚を利用した撮影では、セットしたり片づけたりすることが面倒である。
（ロ）シャッターを他人押してもらうことは億劫である。
本考案は、以上の問題点を解決するためのものであり、手に持ったままのデジタルカメラ撮影ハンドを延長することで、自らを被写体に入れて撮ることを容易にすることを課題とする。
【課題を解決するための手段】
【０００５】
上記の課題を解決する本考案は、伸縮自在のアンテナ式延長ハンドの先に雲台をセットした構造にすることで、ハンドを延長し、撮影距離を延ばすことで、自らを被写体に入れて撮れることを容易にすることを特徴とする。その結果、三脚をセットすることなく、また、他人に頼むことなく、自らを被写体に入れて撮ることができる。
【考案の効果】
【０００６】
本考案は、上記の課題を解決するために成されたものであり、次の効果が得られる。
【０００７】
（ア）三脚をセットしたり、片づけたりする面倒がなくなる。
（イ）シャッター切りを他人に頼むことの煩わしさを省くことができる。
【考案を実施するための最良の形態】
【０００８】
以下、本考案の形態について、図面に基づいて説明する。
【０００９】
図１、図２で示すように、アンテナ式の伸縮自在の延長ハンド１の先端に雲台２をセットする。延長ハンド１と雲台２は、回転軸３で接続され、雲台２と回転軸３は軸受部４で枢支され、広角に回転できるようにする。雲台２には、カメラ固定ネジ５を設け、締め付けつまみ６で必要な角度に固定できるようにする。延長ハンドの安定を保つために、グリップ７を設ける。
【００１０】
デジタルカメラ撮影延長ハンドには、図３、図４に示すように、脚取り付け穴８を雲台の背面下部に２つ設け、広角回転可能な脚接続ネジ９をセットする。図５で示すように、必要に応じて、取り付け脚１０を取り付け、図６で示すように、三脚として利用できるようにする。
【００１１】
図７に示すように、ハンドを延長して使用することで、自らを被写体に入れた撮影が容易になる。カメラブレをより少なくするために、図８のように、二脚を開いての撮影も可能となる。
【産業上の利用可能性】
【００１２】
本稿案によるデジタルカメラ撮影延長ハンドを利用することにより、自らを被写体に入れた少人数の近距離撮影が簡単にでき、旅行や行楽時の簡単撮影の必需品として普及していくものと考える。
【図面の簡単な説明】
【００１３】
【図１】デジタルカメラ撮影延長ハンドの全体正面図
【図２】デジタルカメラ撮影延長ハンドの全体斜視図
【図３】デジタルカメラ撮影延長ハンド側面図
【図４】脚取り付け穴、脚接続ネジの側面図
【図５】デジタルカメラ撮影延長ハンドの取り付け脚図
【図６】デジタルカメラ撮影延長ハンドを三脚として使用する場合の斜視図
【図７】デジタルカメラ撮影延長ハンド使用時の斜視図
【図８】デジタルカメラ撮影延長ハンド取り付け脚使用時の斜視図
【符号の説明】
【００１４】
１延長ハンド    
２雲台
３回転軸                                
４軸受部          
５カメラ固定ネジ              
６締め付けつまみ  
７グリップ        
８脚取り付け穴                                               
９脚接続ネジ      
１０取り付け脚      
【図１】
0003132808.tif 000003
【図２】
0003132808.tif 000004
【図３】
0003132808.tif 000005
【図４】
0003132808.tif 000006
【図５】
0003132808.tif 000007
【図６】
0003132808.tif 000008
【図７】
0003132808.tif 000009
【図８】
0003132808.tif 000010
(57)【要約】【課題】従来の木造建築物構造は軸組み工法、プレハブ工法で住宅を建築する場合、柱を立てたり棟上の時などに、どうしても複数の人間が必要になるが、素人一人でも耐震性の良い、しかも棚や窓の場所を自在に選べる設計自由度の高い木造住宅構造を考案する。【解決手段】壁面を作るのに、大量の木ネジを使って無垢または集成材の厚板を、長手方向を互い違いに3層重ねの構造にすることで、在来工法の柱以上の強度を壁面に持たせ、またその厚板の間に透湿防水シートを挟むことで、耐震性の良いしかも断熱性もあり、適度の気密性をもった設計自由度の高い構造の１戸立ちの木造住宅を提供する。【選択図】図２
0003132569.tif 000002
【実用新案登録請求の範囲】
【請求項１】
土台部１と、前記土台部上に一体としてる床部２と、前記土台部上に一体としてる壁部３と、前記壁部上に一体としてる屋根部４からなる木造建築物において、壁部が無垢もしくは集成材の厚板を、長手方向を縦横互い違いに3層重ねの構造で、3層の厚板が一体として木ネジで結合して作られ、この壁部で屋根部の荷重を支えるように構成された、柱を使わないことを特徴とする板張りの木造建築物。
【請求項２】
前記3層の厚板のうち、外側板と中間板の間に透湿防水シートを挟むことで、雨水や結露及び室内への風の侵入を防ぐことを特徴とした請求項１記載の木造建築物。
【考案の詳細な説明】
【技術分野】
【０００１】
本考案は、木造住宅の建設が1人でも容易な建築物に関するものである。
【背景技術】
【０００２】
従来の木造建築物構造は軸組み工法、プレハブ工法で住宅を建築する場合、柱を立てたり棟上の時などに、どうしても複数の人間が必要になるという欠点があった。
【０００３】
また本考案に似た木造建築物にログハウスがあるが、この建物は壁部を丸太の横方向だけを使うことで、数年の経年変化で圧縮され壁部の高さが小さくなり、通しボルトの再調節をしないといけないという欠点があった。本考案は材木の縦横方向を組み合してるので変形防止になり経年変化が非常に少ない。
【０００４】
本考案は、たとえば３０X１０５X３０００mmの厚板などと木ネジを主として使うことで、単位資材を小さく軽くして、持ち運びも1人で簡単にでき、一戸立ての大きな家でさえも、1人で組み立て建設することが出来る。その点、特開２００６−３２２２０５では大きな長い集成材を使うので、多勢の人間や重機が持ち運びに必要になる。
【０００５】
釘では長時間の締め付け力には期待できず、木ネジを使うにも以前はドライバーを手動でやるには、この板張り住宅にはあまりにも木ネジの数が多く人間には不可能、またコード式の電動ドライバードリルでコードを引っ張ってては移動するのに使い勝手が悪いなどの問題があったが、充電式の手軽な電動ドライバードリルが一般的に使える現代になって、初めて実用化され木ネジで簡単にしかも永続的に、厚板を結合することで構造材としての役割をする壁部をもった新しい木造建築物である。
【特許文献１】特開２００６−３２２２０５
【考案の開示】
【考案が解決しようとする課題】
【０００６】
解決しようとする問題点は、一戸建ての家を作るのには熟練した大工さんなど多くの専門家に頼むのでは大金がかかり、また本当に自分好みの家が自分だけでは作りにくいことである。
【課題を解決するための手段】
【０００７】
本考案は、1人でも出来る一戸建て木造住宅を提供する事を、最も主要な特徴とする。
【考案の効果】
【０００８】
本考案の一戸建て木造住宅は、使用してる単位資材が小さいため、1人で持ち運びができ、少し高い場所でも脚立などを使って持ち上げ、木ネジで1人で取り付け固定ができ、1枚でもスジカイなどの構造材にも使える丈夫な厚板を3枚も使用することで壁部を作り、壁部をそのまま構造材として、また内装材としても使え、しかも透湿防水シートを外側板と中間板の間に挟んで使うことで適度の断熱材となり、柱を構造材として全く使わない事を特長としている。
【考案を実施するための最良の形態】
【０００９】
土台５の上に小土台１２を木ネジで５ｃｍピッチで確実に固定する。前記小土台の側面に室内側板６を縦に立てて木ネジで室内側板下部を小土台に固定する。室内側板が済んだら中間板７を前記小土台の上に横に立て前記室内側板に木ネジで固定する。前記中間板の表面に透湿防水シートを貼り、次に前記中間板と前記小土台と前記土台の外側に、外側板８を縦に立てて木ネジで全面に渡って固定することで3層の構造材としての壁部が完成する。
【実施例１】
【００１０】
図１は、木造建築物の説明図である。
【実施例２】
【００１１】
図２は本考案の１実施例の断面図である。
【実施例３】
【００１２】
図３は1実施例の壁部の断面詳細図である。
【産業上の利用可能性】
【００１３】
山林で出てくる単価の安い間伐材を大量に利用できる。
【図面の簡単な説明】
【００１４】
【図１】木造建築物の言葉を説明した図である。（実施例１）
【図２】本考案の１実施例の断面図である。（実施例２）
【図３】本考案の１実施例の壁部や床部の詳細断面図である（実施例３）
【符号の説明】
【００１５】
１    土台部
２    床部
３    壁部
４    屋根部
５    土台
６    室内側板
７    中間板
８    外側板
９    透湿防水シート
１０    木ネジ
１１    基礎コンクリート
１２    小土台
【図１】
0003132569.tif 000003
【図２】
0003132569.tif 000004
【図３】
0003132569.tif 000005
(57)【要約】【課題】  本考案は点光源である発光ダイオードに光拡散性樹脂を用いることにより、広い面積を照射させようとするものである。【解決手段】  本考案は着色光透過性樹脂２の中に発光ダイオード３を埋め込み、ブラストをかけた光透過性樹脂ないし光拡散剤を練りこんだ光透過性樹脂１で覆うことで少量の光を内部に停めつつ全体に光が回り２重の光の拡散を創りだそうとするものである。【選択図】図１
0003132519.tif 000002
【実用新案登録請求の範囲】
【請求項１】
着色された光透過性の着色光透過性樹脂の中に発光ダイオードが埋め込まれ、前記の着色光透過性樹脂は光透過性樹脂の中に埋め込まれてなり、前記発光ダイオードは点滅させられる照明器具
【考案の詳細な説明】
【技術分野】
【０００１】  本考案は、光透過性樹脂に点滅型発行ダイオードを埋め込んだ照明器具に関するものである。
【背景技術】
【０００２】  照明の本来の役割として物質を照らすことであるが、最近では光を眺めるオブジェとして捉え、部屋の中を彩るものとしてや安らぎの効果があるものとしても求められている。
【考案の開示】
【本考案が解決しようとする課題】
【０００３】  発光ダイオードは点光源であるため広い面積を照射しようとすると斑を生じやすく、１つの発光ダイオードでは光が全面に行き渡らず１部分のみ発光した照明になってしまう。
【課題を解決するための手段】
【０００４】  本考案は着色光透過性樹脂の中に発光ダイオードを埋め込み、ブラストをかけた光透過性樹脂ないし光拡散剤を練りこんだ光透過性樹脂で覆うことで少量の光を内部に停めつつ全体に光が回り２重の光の拡散を創りだそうとするものである。
【考案の効果】
【０００５】  本考案の照明は着色透過性樹脂をハート形にし、光透過性樹脂の中で光がフェードイン、フェードアウトの点滅をすることで心臓の鼓動ようなニュアンスを持ち、光透過性の樹脂に弾力性のあるものを使用することにより視覚だけでなく触感でも感じられる照明とした。
【考案の実施するための最良の形態】
【０００６】  電源はコンセントとしＡＣアダプターに差し込み照明を点灯させるものとする。
天井や壁から吊り下げる形状とし使用する。
【実施例】
【０００７】  以下、添付図面に従って一実施例を説明する。
１は透過度の高いシリコンにより整形された照明本体、２は発光ダイオードが埋め込まれた着色光透過性樹脂、３はフェードイン、フェードアウトタイプの交換交換用ＬＥＤ自動点滅ランプで、電源コード５に接続されている。また、着色光透過性樹脂２に固定されてているワイヤー４は照明器具の全重量を支えている。【０００８】電源コード５をＡＣアダプターに接続して、コンセントを電源に差し込むとＬＥＤ自動点滅ランプ３が点灯，点滅する。
【図面の簡単な説明】
【０００９】
【図１】本考案の吊り下げた状態にある照明器具の一実地例を示す正面図である。
【図２】本体１と着色光透過性樹脂２を通る断面図である。
【符号の説明】
【００１０】  １  照明器具本体
２  着色光透過性樹脂
３  交換交換用ＬＥＤ自動点滅ランプ
４  ワイヤー
５  電源コード
【図１】
0003132519.tif 000003
【図２】
0003132519.tif 000004
(57)【要約】      （修正有）【課題】自動で具材に傷つけることなく、また、ムラなく撹拌ができるようにする。【解決手段】糠床蓋７にモーター３と主軸４とスパイラルフィン１とフィンカバー２を取り付け、モーター３を回し、スパイラルフィン１と主軸４を連動させることにより、網目状の具材ガード８の隙間から糠味噌がフィンカバー２に入りこみ、フィンカバー２の中で糠味噌をスパイラルフィン１が押し上げてフィンカバー２の上部から糠味噌が溢れて出て糠床６に落ちるという対流循環をするようにした。【選択図】図１
0003132513.tif 000002
【実用新案登録請求の範囲】
【請求項１】
本考案は糠床の撹拌に関するもので、糠床容器の蓋にモーターを取り付け、そのモーターにより、糠床内にあるスパイラルフィンを回転させ、対流を起こして自動的に糠床を撹拌できるようにした装置である。
【考案の詳細な説明】
【考案の詳細な説明】
【考案が解決しようとする課題】
【０００１】従来、自動で撹拌する糠床装置は存在していたが、糠の混ざり具合にムラがあり、また、具材に傷をつけるという問題を有していた。
【課題を解決する為の手段】
【０００２】上記目的を達成するために、糠床蓋７にモーター３と主軸４とスパイラルフィン１とフィンカバー２を取り付け、モーター３を回し、スパイラルフィン１と主軸４を連動させることにより、網目状の具材ガード８の隙間から糠味噌７がフィンカバー２に入りこみ、フィンカバー２の中で糠味噌７をスパイラルフィン１が押し上げてフィンカバー２の上部から糠味噌７が溢れて出て糠床６に落ちるという対流循環をするようにした。
【考案の効果】
【０００３】このようにすれば、糠床全体がまんべんなく動いているので一日に何度か手を入れてかき混ぜるという作業が必要なくなり、また、フィンカバーを設けるので、スパイラルフィンが具材に直接接触する事なく、具材に傷がつく事を防げる。
【図面の簡単な説明】
【図１】糠床攪拌装置の全体図である。
【図２】具材ガードの詳細図である。
【図３】糠味噌の対流循環を表した図である。
【符号の説明】
１    スパイラルフィン
２    フィンカバー
３    モーター
４    主軸
５    モーターカバー
６    糠床
７    糠床蓋
８    具材ガード
９    軸受け台
１０  糠床容器
【図１】
0003132513.tif 000003
【図２】
0003132513.tif 000004
【図３】
0003132513.tif 000005
(57)【要約】【課題】  上玉縁と下玉縁を設け、下玉縁の色・模様・材質・大きさ等に変化を付けることにより、ワンポイントなおしゃれを楽しむことを提供する。【解決手段】  洋服における雨蓋を設けてなるポケットにおいて、上玉縁と下玉縁を形成してなり、上玉縁の色及び／または模様と下玉縁の色及び／または模様を異なるものとしたことを特徴とする洋服のポケット。【選択図】図１
0003132512.tif 000002
【実用新案登録請求の範囲】
【請求項１】
洋服における雨蓋を設けてなるポケットにおいて、上玉縁と下玉縁を形成してなり、上玉縁の色及び／または模様と下玉縁の色及び／または模様を異なるものとしたことを特徴とする洋服のポケット。
【請求項２】
下玉縁の材質と上玉縁の材質を異なるよう形成してなることを特徴とする請求項１記載の洋服のポケット。
【請求項３】
上玉縁より下玉縁の幅を大きくしてなることを特徴とする請求項１又は２記載の洋服のポケット。
【考案の詳細な説明】
【技術分野】
【０００１】  本考案は、主に洋服の雨蓋付のポケットの下玉縁に変化を付け、ワンポイントのおしゃれを演出する洋服のポケットに関するものである。
【背景技術】
【０００２】  従来の技術として、同様なものは無いが、例えば上衣の前身頃の見返しには、後身頃の方向へ張出して脇部下方付近まで延びる張出部が設けられ、該張出部が略Ｕ字状の切断線に沿って切開されることによって、この切断線上方をポケット雨蓋とする裏ポケットが設けられると共に、前記見返しと前身頃裏地との縫着線に沿って刺繍を施したテープが縫着されており、かつ前記見返しの脇部下方には刺繍を施した略半円形の当布が設けられていることを特徴とする洋服がある。（特許文献１参照）
【特許文献１】  特開平７−１５７９０５号
【考案の開示】
【考案が解決しようとする課題】
【０００３】  上記従来技術は、洋服の高級感を向上し、かつ耐久性を向上させることを目的とするもので、本考案のような下玉縁の色及び／または模様や材質、大きさを変えることにより、雨蓋をポケット内に収納することによるワンポイントおしゃれを楽しむことができない。【０００４】  本考案は、このような従来の構成が有していた問題を解決しようとするもので、上玉縁と下玉縁を設け、下玉縁の色・模様・材質・大きさ等に変化を付けることにより、ワンポイントなおしゃれを楽しむことを提供することを目的とする。
【課題を解決するための手段】
【０００５】  本考案は、上記目的を達成するために、洋服における雨蓋を設けてなるポケットにおいて、上玉縁と下玉縁を形成してなり、上玉縁の色及び／または模様と下玉縁の色及び／または模様を異なるものとする。
また、下玉縁の材質と上玉縁の材質を異なるよう形成してなる。
そして、上玉縁より下玉縁の幅を大きくしてなることを特徴とする。
【考案の効果】
【０００６】１）、上玉縁と下玉縁を形成した雨蓋付のポケットの下玉縁の色及び／または模様を異なるものとすることにより、雨蓋をポケット内に入れることにより、下玉縁が表に現われ、そのライン色（模様）が目立ち、ワンポイントのおしゃれを表現できる。
２）、上玉縁と下玉縁の材質を変えることにより、色の変化に加え、材質の変化を表現することができ、よりおしゃれを表現できる。
３）、下玉縁の幅を上玉縁より大きくすることにより、デザイン的にインパクトを与え、より一層おしゃれを表現できる。
【考案の実施するための最良の形態】
【０００７】  洋服のポケット１は、洋服ＹＦ（背広の上着、ジャケット、ブルゾン、コート、ジャンパー等も含む）に設けるもので、雨蓋２ａを設けてなるポケット２において、略Ｕ字形に形成した上玉縁３（雨蓋２ａの上部前面）と略Ｕ字形に形成した下玉縁４（ポケット２の上部前面）を形成してなり、上玉縁３の色（例えば黒）と下玉縁４（例えば赤）を異なるものであり、ミシン等にて縫い合わせてある。（図１・図２参照）
【０００８】  通常は、上記のように使用しており、下玉縁４は雨蓋２ａにて隠れているが、雨蓋２ａをポケット２内に入れ込むことにより、下玉縁４が現われる。
よって、上玉縁３と下玉縁４の色の違い（濃淡）によりワンポイントのおしゃれを楽しむことができるものである。
【０００９】  なお、上記洋服のポケット１において、上玉縁３ａの幅Ｈ１より下玉縁４の幅Ｈ２を大きくするのが望ましい。
また、ポケット２や下玉縁４の形状（デザイン）は必要に応じて決めればよい。
【図面の簡単な説明】
【００１０】
【図１】  本考案の一実施例を示す洋服のポケットの正面図。
【図２】  本考案の一実施例を示す洋服のポケットの一部縦断側面図。
【図３】  本考案の一実施例を示す洋服のポケットの雨蓋をポケット内に入れた状態の正面図。
【図４】  本考案の一実施例を示す洋服のポケットの雨蓋をポケット内に入れた状態の一部縦断側面図。
【符号の説明】
【００１１】  １−−−洋服のポケット
２−−−ポケット
２ａ−−雨蓋
３−−−上玉縁
４−−−下玉縁
ＹＦ−−洋服
Ｈ１−−上玉縁の幅
Ｈ２−−下玉縁の幅
【図１】
0003132512.tif 000003
【図２】
0003132512.tif 000004
【図３】
0003132512.tif 000005
【図４】
0003132512.tif 000006
(57)【要約】      （修正有）【課題】遠近両用メガネ用の累進レンズの体験を十分に行うことが出来るテスト用累進レンズを提供する。【解決手段】仮想中心線３の左右に拡がった帯状の累進帯４を下方に延長し、累進帯４が円周を超え、光学中心３から２０〜２５ｍｍの位置にまで達する様にしたことを特徴とする外径３８φのテスト用累進レンズ。【選択図】図１
0003132534.tif 000002
【実用新案登録請求の範囲】
【請求項１】
仮想中心線の左右に拡がった帯状の累進帯を下方に延長し、累進帯が円周を超え、光学中心から２０〜２５ｍｍの位置にまで達する様にしたことを特徴とする外径３８ｍｍのテスト用累進レンズ。
【考案の詳細な説明】
【技術分野】
【０００１】
この考案は検眼作業の際に用いるレンズ、詳しくは、遠近両用メガネの調製作業の際に用いるテスト用の累進レンズに関するものである。
【背景技術】
【０００２】
視力矯正用のメガネの調製の際には、視力など各種検査により、何種類かの適当なレンズを選び出し、検眼用メガネ枠にこれを差し込み、使用者に実際に掛けさせ、見え方を実際に体験させて最適なレンズを選び出すことが行われている。
【０００３】
この検眼用メガネ枠には通常三枚のテストレンズが一度に差し込める様になっており、遠近両用メガネを調製する際には、テスト用の凸レンズをメガネ装用者から最も離れた外側の位置に差し込む様になっている。なお、このテスト用の凸レンズは下部に行くに従って度数が累進的に高くなる累進レンズであり、通常は直径が３８ｍｍの真円状をなしており、実際に使用するメガネ用レンズに比べ、径はかなり小さいという特徴を有する。
【特許文献１】なし
【非特許文献１】なし
【考案の開示】
【考案が解決しようとする課題】
【０００４】
メガネに実際に取り付けられる遠近両用レンズにおいては、レンズの中央部分が近視補正用の凹レンズ領域、下方が遠近補正用の凸レンズ領域となっており、遠くを見るときは中央部分を、近くの小さい文字を見ようとするときには下方の凸レンズ領域を用い、下目使いに見ることとなる。
【０００５】
一方、テスト用の累進レンズは上述の通り、直径が３８ｍｍであり、実際のレンズよりかなり小さく、下目使いでは視線がレンズからはみ出してしまい、実際の使用状況を体験しにくい為、なかなか最適のレンズを選び出すことができなかった。テスト用の累進レンズの径を大きくすれば、実際の使用状況に近づけることが出来るが、レンズの径を大きくすれば、テスト用の累進レンズを装着する検眼メガネ全体の重量が過大となってしまい、検眼に支障が生ずるおそれがあり、好ましくなかった。
【０００６】
更に、一般の検眼用メガネ枠は直径３８ｍｍのレンズ用に作られており、テスト用の累進レンズを大径とした場合、この既存の検眼用メガネ枠は使用出来なくなり、別途、大径レンズ用のメガネ枠を作らねばならず、非常に不経済なことになり、実際的ではなかった。
【０００７】
本考案は、検眼作業の際に用いるテスト用の累進レンズに関する上記従来の問題点を解決せんとするものであり、既存の検眼用メガネ枠にそのまま装着できる、遠近両用メガネ調製の際に便利なテスト用の累進レンズを提供せんとするものである。
【課題を解決するための手段】
【０００８】
外径３８ｍｍの累進レンズの仮想中心線の左右に拡がった帯状の累進帯を下方に延長し、累進帯が円周を超え、光学中心から２０〜２５ｍｍの位置にまで達する様にして、上記課題を解決した。
【実施例】
【０００９】
図１において、真円状をなしたレンズ本体であり、その光学中心２から下方に延びた仮想中心線３の左右には、帯状の累進帯４が形成されている。なお、累進帯４においては、光学中心２から遠ざかるに従って、度数が累進的に増大している。そして、この累進帯４は、直径３８ｍｍの円周を超えて、前記光学中心２から２０〜２５ｍｍの位置まで達しており、円周を超えた部分は張り出し部５となっている。そして、レンズ本体１及び張り出し部５を囲むその外縁には、リム６が嵌められており、このリム６には摘み片７が取り付けられており、この摘み片７を摘んでこのテスト用累進レンズを検眼用メガネ枠８に差し込める様になっている。
【００１０】
この考案に係るテスト用累進レンズは上記の通りの構成を有するものであり、図２に示す様に、既存の検眼用メガネ枠８の一番外側に張り出し部５が下になる様に取り付けて、遠近両用メガネを求める者の体験の用に供するものであり、レンズ本体１は従来のテスト用レンズと同じ径なので、既存の検眼用メガネ枠８にそのまま差し込むことが可能で、張り出し部５に形成されている累進帯４を用い、凸レンズ領域の見え方を体験させることが出来る。なお、図中９は眼球である。従って、遠近両用メガネの調製作業をよりスムーズに実施出来る効果を有し、極めて高い実用性を有する。
【図面の簡単な説明】
【００１１】
【図１】この考案に係るテスト用累進レンズの一実施例の正面図。
【図２】その使用状況を説明した説明図。
【符号の説明】
【００１２】
１    レンズ本体
２    光学中心
３    仮想中心線
４    累進帯
５    張り出し部
６    リム
７    摘み片
８    検眼用メガネ枠
９    眼球
【図１】
0003132534.tif 000003
【図２】
0003132534.tif 000004